(57)【要約】【課題】  一つの装置本体に、付加機能、及びオプション等を操作するためのカバー、及びオプション等が追加されない装置本体に取り付けられた目隠し用のカバーのカバー着脱、及び見栄えの良くする。【解決手段】  外装カバー側に目隠し用のカバーと、付加機能、及びオプションを操作することが可能なカバーとを取り付けるための、カバー取り付け用開口部を設け、カバー取り付け用開口部は、目隠し用のカバー、及び操作可能なカバーを取り付ける際に使用される共通な開口部である。【選択図】  図１
2008003230.tif 000002
【特許請求の範囲】
【請求項１】
画像形成装置の装置本体に付加機能、及びオプション部品を追加するための取り付け部を設け、
装置本体外装カバーに前記装置本体に追加された付加機能、及びオプションを操作するための開口窓を設けた外装カバーを備え、
前記付加機能、及びオプションが追加されない時は、前記開口窓を設けた外装カバーに目隠し用のカバーを取り付け、
前記付加機能、及びオプションが追加される時は、前記開口窓を設けた外装カバーに前記付加機能、及びオプションを操作することが可能なカバーを取り付けると共に、
前記外装カバー側に前記目隠し用のカバーと、前記付加機能、及びオプションを操作することが可能なカバーとを取り付けるための、カバー取り付け用開口部を設け、
前記カバー取り付け用開口部は、前記目隠し用のカバー、及び操作可能なカバーを取り付ける際に使用される共通な開口部である外装カバーを備えることを特徴とする画像形成装置。
【請求項２】
前記目隠し用のカバーと前記付加機能、及びオプションを操作することが可能なカバーを前記画像形成装置の外装カバーに取り付ける方法が、前記目隠し用のカバーと前記付加機能、及びオプションを操作することが可能なカバーでおのおの異なることを特徴とする請求項１に記載の画像形成装置。
【請求項３】
前記目隠し用のカバーは、前記外装カバーの外観面側から外すことができないように取り付けられていることを特徴とする請求項１，又は請求項２に記載の画像形成装置。
【請求項４】
前記付加機能、及びオプションを操作することが可能なカバーは、回動により、開閉することを特徴とする請求項１，又は請求項２に記載の画像形成装置。
【請求項５】
前記画像形成装置が画像読取り装置を備えた画像形成装置であることを特徴とする請求項１から請求項４のいづれかに記載の画像形成装置。
【発明の詳細な説明】
【技術分野】
【０００１】
本発明は、付加機能、及びオプション部品等を追加、及び操作するための開口窓を有する画像形成装置、及び画像形成装置の外装カバーに関するものである。
【背景技術】
【０００２】
従来の画像形成装置の構成の例について、図１３を用いて説明する。同図において、給紙カセット12から給紙ローラ13によって1枚ずつ給送されたシート14は、搬送路Aを通過し、搬送ローラ15に搬送される。そして、像担持体である感光ドラム16上に形成された現像画像の先端位置が像担持体である感光ドラム16と転写ローラ17とが接触する転写ニップ部の位置に到達したときに、シート14の先端が転写ニップ部に搬送するようにタイミングを取る。
【０００３】
なお、像担持体である感光ドラム16および転写ローラ17などによって画像形成部を構成する。
【０００４】
このようにして転写ニップ部において、像担持体である感光ドラム16上の現像画像をシート14に転写させた後に、シート14は、像担持体である感光ドラム16から分離し、定着装置18へ搬送される。この定着装置18では、シート14が加熱部材と加圧ローラとの間に挟圧され、シート14に転写されている未定着画像を定着させる。その後、トナー画像が定着されたシート14を、搬送路Bを通過させて排紙ローラ対19によって画像形成装置本体の排紙部20へ排出させる。
【０００５】
上記構成の画像形成装置11において、一つの装置本体に制御基板に拡張メモリなどの付加機能を追加したり、スタンパーやステイプラなどのオプション部品等を追加したりして、使用目的に合せた装置本体が提供されている。その際、付加機能、及びオプション等を操作するために、外装カバー側に大きな開口窓を設け、そこに付加機能、及びオプション等を操作するための開閉動作可能なカバーが設けられている。一方、付加機能、及びオプション部品等を追加しない装置本体も提供されているため、その場合は、外装カバー側に設けられている大きな開口窓に、目隠し用のカバーが取り付けられている。
【０００６】
又、別の従来例としては、特許文献１をあげることが出来る。
【特許文献１】特開2005-029282号公報
【発明の開示】
【発明が解決しようとする課題】
【０００７】
しかしながら、従来、一つの装置本体に付加機能追加や、オプション部品等追加など、使用目的に合せた装置本体において、その装置の外装カバーには、以下に列挙するような問題があった。
【０００８】
1）付加機能、及びオプション等を操作するためのカバーは、付加機能、及びオプション等を操作するために、開閉動作可能な形状となっている。一方、付加機能、及びオプション等が追加されない装置本体に取り付けられた目隠し用のカバーは、外装カバーの開口窓に固定可能な形状となっている。目隠し用のカバーは、外装カバー側にしっかり固定されている必要があり、外装カバー側には固定用の複数の開口部が設けられている。その際、付加機能、及びオプション等が追加された装置本体において、ユーザーが付加機能、及びオプション等を操作するためのカバーを開いた時に、外装カバー側に設けられた複数の開口部がユーザーに見えてしまい、外観上、見栄えが悪くなる。
【０００９】
2）目隠しカバーと、付加機能、及びオプション等を操作するカバーの取り付け部形状をそれぞれの作用にあった取り付け方法にしないと、目隠しカバーが外装カバーから容易に外れてしまったり、逆に付加機能、及びオプション等を操作する際にカバーの開閉操作がしずらいなどが考えられ、改善が望まれていた。
【課題を解決するための手段】
【００１０】
上記課題を解決するため、第１の発明によれば、画像形成装置の装置本体に付加機能、及びオプション部品等を追加するための取り付け部を設け、装置本体外装カバーに前記装置本体に追加された付加機能、及びオプション等を操作するための開口窓を設けた外装カバーを備え、前記付加機能、及びオプションが追加されない時は、前記開口窓を設けた外装カバーに目隠し用のカバーを取り付け、前記付加機能、及びオプションが追加される時は、前記開口窓を設けた外装カバーに前記付加機能、及びオプションを操作することが可能なカバーを取り付けると共に、前記外装カバー側に前記目隠し用のカバーと、前記付加機能、及びオプションを操作することが可能なカバーとを取り付けるための、カバー取り付け用開口部を設け、前記カバー取り付け用開口部は、前記目隠し用のカバー、及び操作可能なカバーを取り付ける際に使用される共通な開口部である外装カバーを備えることを特徴とする画像形成装置である。
【００１１】
第２の発明によれば、前記目隠し用のカバーと前記付加機能、及びオプションを操作することが可能なカバーを前記画像形成装置の外装カバーに取り付ける方法が、前記目隠し用のカバーと前記付加機能、及びオプションを操作することが可能なカバーでおのおの異なることを特徴とする。
【００１２】
第３の発明によれば、前記目隠し用のカバーは、前記外装カバーの外観面側から外すことができないように取り付けられていることを特徴とする。
【００１３】
第４の発明によれば、前記付加機能、及びオプションを操作することが可能なカバーは、回動により、開閉することを特徴とする。
【００１４】
第５の発明によれば、前記画像形成装置が画像読取り装置を備えた画像形成装置であることを特徴とする。
【発明の効果】
【００１５】
以上説明したように、本発明によれば、装置本体に付加機能、及びオプション部品等を追加するための取り付け部を設け、装置本体外装カバーに装置本体に追加された付加機能、及びオプション等を操作するための開口窓を設けた外装カバーと、付加機能、及びオプションが追加されない時は、開口窓を設けた外装カバーに目隠し用のカバーを取り付け、付加機能、及びオプションが追加される時は、開口窓を設けた外装カバーに付加機能、及びオプションを操作することが可能なカバーを取り付けることができる外装カバーにおいて、外装カバー側に目隠し用のカバーと、付加機能、及びオプションを操作することが可能なカバーとを取り付けるための、カバー取り付け用開口部を設け、カバー取り付け用開口部は、目隠し用のカバー、及び操作可能なカバーを取り付ける際に使用される共通な開口部であることを特徴とする。
【００１６】
目隠し用のカバーと付加機能、及びオプションを操作することが可能なカバーを装置の外装カバーに取り付ける方法が、目隠し用のカバーと付加機能、及びオプションを操作することが可能なカバーでおのおの異なることを特徴とする。
【００１７】
目隠し用のカバーは、外装カバーの外観面側から外すことができないように取り付けられていることを特徴とする。
【００１８】
付加機能、及びオプションを操作することが可能なカバーは、回動により、開閉することを特徴とする。
【００１９】
装置が画像形成装置であることを特徴とする。
【００２０】
装置が画像読取り装置を備えた画像形成装置であることを特徴とする。
【００２１】
それ故、一つの装置本体に、付加機能、及びオプション等を操作するためのカバー、及びオプション等が追加されない装置本体に取り付けられた目隠し用のカバーのカバー着脱、及び見栄えが良くなる。
【発明を実施するための最良の形態】
【００２２】
次に、本発明の詳細を実施例の記述に従って説明する。
【実施例１】
【００２３】
図1は、本発明の第１の実施の形態に係る画像形成装置の装置斜視図、図2は、画像形成装置の詳細斜視図である。図3、及び図4は、装置に取り付けられるカバーの斜視図である。
【００２４】
図１、及び図２において、画像形成装置１１の外装カバー1には、オプション５を操作するために大きな開口窓２を設けている。オプション５（本実施の形態では、手動ステイプラを示す）が追加された時にオプション５を操作するためのカバー３、及びオプション５が追加されない時に目隠し用のカバー４が取り付けられるように、外装カバ−1の開口窓２には、取り付け用の開口部２a、２b、及び２cが設けられている。一方、オプションが追加された時にオプション５を操作するためのカバー３には、取り付け用の開口部に対応するように、３a、３b、及び３cの取り付け形状が構成されている。また、オプション５が追加されない時に目隠し用のカバー４にも取り付け用の開口部に対応するように、４a、４b、及び４cの取り付け形状が構成されている。
【００２５】
次に、オプション５が追加されない時に取り付けられる目隠し用のカバー４の取り付けについて、図５、図６、図７、及び図８で説明する。
【００２６】
図５において、画像形成装置１１の外装カバー１には、開口窓２が設けられている。図６は、外装カバー１を内側から見た図であり、開口窓２には、オプションが追加されない時に取り付けられる目隠しカバー４が取り付けられる開口部２a、２b、及び２cが設けられ、目隠しカバー４には、取り付け形状４a、４b、及び４cが構成され、図中矢印の位置にそれぞれ対応して取り付けられる。
【００２７】
図7、及び図８にあるように、外装カバー１の開口窓２に設けられた取り付け用開口部２a、２b、及び２cに、目隠しカバー４の取り付け形状４a、４b、及び４cがしっかりと組付けられている。
【００２８】
さらに、オプション５が追加された時にオプション５を操作するためのカバー３の取り付けについて、図９、図１０、図１１、及び図１２で説明する。
【００２９】
図９において、画像形成装置１１の外装カバー１には、開口窓２が設けられている。図１０は、外装カバー１を内側から見た図であり、開口窓２には、オプションが追加される時に取り付けられるカバー３が取り付けられる開口部２a、２b、２c、及び回動軸である２e、及び２fが設けられ、カバー３には、取り付け形状３a、３b、及び３cが構成され、２e、及び２fの回動軸を中心に開閉するように図中矢印の位置にそれぞれ対応して取り付けされる。
【００３０】
図１１、及び図１２にあるように、画像形成装置１１の外装カバー１に設けられた開口窓を塞ぐように、開閉可能なカバー４が取り付けられる。
【００３１】
これにより、外装カバー１側に目隠し用のカバー４と、オプションを操作することが可能なカバー３とを取り付けるための、カバー取り付け用開口部２a、２b、及び２cは、目隠し用のカバー４、及びオプションを操作可能なカバー３を取り付ける共通な開口部にすることができる。また、目隠し用のカバー４を取り付けた場合、外装カバー１の外観面側から取り外すことができないようになっている。さらに、オプション操作用カバー３は、外装カバ−１に設けた回動軸を中心に開閉することができる。
【実施例２】
【００３２】
図1４は、本発明の第２の実施の形態に係る画像形成装置の装置斜視図、図１５は、画像形成装置の詳細斜視図である。図１６、及び図１７は、装置に取り付けられるカバーの斜視図である。
【００３３】
図１４、及び図１５において、画像形成装置１１の外装カバー1には、制御基板８に追加する拡張基板９を着脱するために大きな開口窓２を設けている。制御基板８に追加する拡張基板９を着脱する時に開閉するためのカバー７、及び制御基板８に拡張基板９が追加されない時に目隠し用のカバー６が取り付けられるように、外装カバ−1の開口窓２には、取り付け用の開口部２a、２b、２c及び２dが設けられている。一方、制御基板８に拡張基板９が追加された時に拡張基板を着脱するためのカバー７には、取り付け用の開口部に対応するように、７a、７b、７c、及び７dの取り付け形状が構成されている。また、拡張基板９が追加されない時に目隠し用のカバー６にも取り付け用の開口部に対応するように、６a、６b、６c、及び６dの取り付け形状が構成されている。
【００３４】
次に、拡張基板９が追加されない時に取り付けられる目隠し用のカバー６の取り付けについて、図１８、図１９、図２０、及び図２１で説明する。
【００３５】
図１８において、画像形成装置１１の外装カバー１には、開口窓２が設けられている。図１９は、外装カバー１を内側から見た図であり、開口窓２には、拡張基板が追加されない時に取り付けられる目隠しカバー６が取り付けられる開口部２a、２b、２c、及び２dが設けられ、目隠しカバー６には、取り付け形状６a、６b、６c、及び６dが構成され、図中矢印の位置にそれぞれ対応して取り付けられる。
【００３６】
図２０、及び図２１にあるように、外装カバー１の開口窓２に設けられた取り付け用開口部部２a、２b、２c、及び２dに、目隠しカバー６の取り付け形状６a、６b、６c、及び６dがしっかりと組付けられている。
【００３７】
さらに、制御基板８に拡張基板９が追加された時に拡張基板９を着脱するためのカバーの取り付けについて、図２２、図２３、図２４、及び図２５で説明する。
【００３８】
図２２において、画像形成装置１１の外装カバー１には、開口窓２が設けられている。図２３は外装カバーを内側から見た図であり、開口窓２には、制御基板８に拡張基板９が追加される時に取り付けられるカバー７が取り付けられる開口部２a、２b、２c、２d、及び回動軸である２e、２fが設けられ、カバー７には、取り付け形状７a、７b、７c、及び７dが構成され、２e、及び２fの回動軸を中心に開閉するように図中矢印の位置にそれぞれ対応して取り付けされる。
【００３９】
図２４、及び図２５にあるように、画像形成装置１１の外装カバー１に設けられた開口窓を塞ぐように、開閉可能なカバー７が取り付けられる。
【００４０】
これにより、外装カバー１側に目隠し用のカバー６と、制御基板８に拡張基板９を着脱することが可能なカバー７とを取り付けるための、カバー取り付け用開口部２a、２b、２c、及び２dは、目隠し用のカバー６、及び制御基板８に拡張基板９を着脱可能なカバー７を取り付ける共通な開口部にすることができる。また、目隠し用のカバー６を取り付けた場合、外装カバー１の外観面側から取り外すことができないようになっている。さらに、拡張基板を着脱することが可能なカバー７は、外装カバー１に設けた回動軸を中心に開閉することができる。
【図面の簡単な説明】
【００４１】
【図１】本発明の第１の実施の形態に係る画像形成装置の装置斜視図である。
【図２】本発明の第１の実施の形態に係る画像形成装置の詳細斜視図である。
【図３】装置に取り付けられるオプション操作用カバーの斜視図である。
【図４】装置に取り付けられる目隠し用カバーの斜視図である。
【図５】オプション目隠し用カバー取り付け時の斜視図である。
【図６】オプション目隠し用カバー取り付け時の詳細斜視図である。
【図７】オプション目隠し用カバー取り付け後の斜視図である。
【図８】オプション目隠し用カバー取り付け後の詳細斜視図である。
【図９】オプション操作カバー取り付け時の斜視図である。
【図１０】オプション操作カバー取り付け時の詳細斜視図である。
【図１１】オプション操作カバー取り付け後の斜視図である。
【図１２】オプション操作カバー取り付け後の詳細斜視図である。
【図１３】従来例の画像形成装置の断面図である。
【図１４】本発明の第２の実施の形態に係る画像形成装置の装置斜視図である。
【図１５】本発明の第２の実施の形態に係る画像形成装置の詳細斜視図である。
【図１６】装置に取り付けられる目隠しカバーの斜視図である。
【図１７】装置に取り付けられる拡張基板着脱カバーの斜視図である。
【図１８】目隠し用カバー取り付け時の斜視図である。
【図１９】目隠し用カバー取り付け時の詳細斜視図である。
【図２０】目隠し用カバー取り付け後の斜視図である。
【図２１】目隠し用カバー取り付け後の詳細斜視図である。
【図２２】拡張基板着脱カバー取り付け時の斜視図である。
【図２３】拡張基板着脱カバー取り付け時の詳細斜視図である。
【図２４】拡張基板着脱カバー取り付け後の斜視図である。
【図２５】拡張基板着脱カバー取り付け後の詳細斜視図である。
【符号の説明】
【００４２】
１  外装カバー
２  外装カバーの開口窓
３  オプション操作カバー
３a、３b、３c  オプション操作カバー取り付け部
４  オプション目隠しカバー
４a、４b、４c  オプション目隠しカバー取り付け
５  オプション
６  目隠しカバー
７  拡張基板着脱カバー
８  制御基板
９  拡張基板
１１  画像形成装置
１２  給紙カセット
１３  給紙ローラ
１４  シート
１５  搬送ローラ
１６  感光ドラム
１７  転写ローラ
１８  定着装置
１９  排紙ローラ対
２０  排紙部
【図１】
2008003230.tif 000003
【図２】
2008003230.tif 000004
【図３】
2008003230.tif 000005
【図４】
2008003230.tif 000006
【図５】
2008003230.tif 000007
【図６】
2008003230.tif 000008
【図７】
2008003230.tif 000009
【図８】
2008003230.tif 000010
【図９】
2008003230.tif 000011
【図１０】
2008003230.tif 000012
【図１１】
2008003230.tif 000013
【図１２】
2008003230.tif 000014
【図１３】
2008003230.tif 000015
【図１４】
2008003230.tif 000016
【図１５】
2008003230.tif 000017
【図１６】
2008003230.tif 000018
【図１７】
2008003230.tif 000019
【図１８】
2008003230.tif 000020
【図１９】
2008003230.tif 000021
【図２０】
2008003230.tif 000022
【図２１】
2008003230.tif 000023
【図２２】
2008003230.tif 000024
【図２３】
2008003230.tif 000025
【図２４】
2008003230.tif 000026
【図２５】
2008003230.tif 000027